(57)【特許請求の範囲】
【請求項１】
放熱板（７）の外周縁下面に炊飯釜の開口をシールする環状のパッキン（８）を装着してなる炊飯器の放熱板ユニット（６）において、
上記放熱板（７）の外周縁（９）につまみ（２７）を取付け、そのつまみ（２７）に、上記放熱板（７）の外周縁（９）の一部とその外周縁（９）に設けた突片（３１）を上下から挟持固定する挟持部（３３、３４）を設けたものであって、
上記放熱板（７）の外周縁（９）を、立上がり部（１１）と水平部（１２）、さらに下方への巻き込み部（１３）とにより形成し、
上記つまみ（２７）は、放熱板（７）の板面に対して直角に立ち上がった把持部（３２）を有し、上記挟持部（３３、３４）は、その把持部（３２）の上端に固定挟持片（３３）と、薄肉屈曲部（３５）を介して可動挟持片（３４）を屈曲自在に設けてなり、上記固定挟持片（３３）を、上記突片（３１）の下面と上記巻き込み部（１３）の外面に沿わせ、上記可動挟持片（３４）を、上記突片（３１）と上記放熱板（７）の外周縁（９）の上面から立上がり部（１１）の内面に沿わせて挟着し、上記可動挟持片（３４）をビス（３６）により上記放熱板（７）の外周縁（９）に固定することを特徴とする炊飯器の放熱板ユニット。
【請求項２】
放熱板（７）の外周縁下面に炊飯釜の開口をシールする環状のパッキン（８）を装着してなる炊飯器の放熱板ユニット（６）において、
上記放熱板（７）の外周縁（９）につまみ（２７）を取付け、そのつまみ（２７）に、上記放熱板（７）の外周縁（９）の一部とその外周縁（９）に設けた突片（３１）を上下から挟持固定する挟持部（３３、３４）を設けたものであって、
上記放熱板（７）の外周縁（９）を、立上がり部（１１）と水平部（１２）、さらに下方への巻き込み部（１３）とにより形成し、
上記つまみ（２７）は、放熱板（７）の板面に対して直角に立ち上がった把持部（３２）を有し、上記挟持部（３３、３４）は、その把持部（３２）の上端に固定挟持片（３３）と、薄肉屈曲部（３５）を介して可動挟持片（３４）を屈曲自在に設けてなり、上記放熱板（７）の外周縁（９）に切り起こし片（３９）を設け、上記固定挟持片（３３）を、上記突片（３１）の下面と上記巻き込み部（１３）の外面に沿わせ、上記可動挟持片（３４）を、上記突片（３１）と上記放熱板（７）の外周縁（９）の上面から立上がり部（１１）の内面に沿わせて挟着し、上記切り起こし片（３９）を上記可動挟持片（３４）に設けた角孔（４１）に挿通して屈曲するようにしたことを特徴とする請求項１に記載の炊飯器の放熱板ユニット。
【請求項３】
放熱板（７）の外周縁下面に炊飯釜（４）の開口をシールする環状のパッキン（８）を装着してなる炊飯器の放熱板ユニットにおいて、
上記放熱板（７）の外周縁（９）につまみ（２７）を取付け、上記放熱板（７）の外周縁（９）を、立上がり部（１１）と水平部（１２）、さらに下方への巻き込み部（１３）とにより形成し、
上記つまみ（２７）は、放熱板（７）の板面に対して直角に立ち上がった把持部（３２）を有し、その把持部（３２）の上端に固定挟持片（３３）と、薄肉屈曲部（３５）を介して可動挟持片（３４）を屈曲自在に設け、上記固定挟持片（３３）と上記可動挟持片（３４）にそれぞれ小突起（３７、３８）を設け、上記固定挟持片（３３）を、上記巻き込み部（１３）の外面に沿わせ、上記可動挟持片（３４）を、上記放熱板（７）の外周縁（９）の上面から立上がり部（１１）の内面に沿わせて挟着し、上記小突起（３７、３８）を放熱板（７）の外周縁（９）に設けた小係合孔（３７’、３８’）に係合させたことを特徴とする炊飯器の放熱板ユニット。
【発明の詳細な説明】
【０００１】
【発明の属する技術分野】
この発明は、炊飯器（炊飯ジャーを含む。）の蓋内面に取付けられる放熱板ユニットに関するものである。
【０００２】
【従来の技術】
炊飯器の蓋に取付けられる蓋ヒーターの熱を蓋下方の空間に分散放熱するために、従来から放熱板ユニットを取付けることが行われている（例えば、特開平８−１９１７５２号公報参照）。この放熱板ユニットは、金属製の放熱板と、その外周縁に装着されたパッキンと、そのパッキンを挟着しねじ止め又はかしめにより放熱板に固定するための蓋リングとにより構成される。その蓋リングを蓋の内面に係合することにより、該放熱板ユニットを蓋に対して着脱自在に取付ける。上記のパッキンは、蓋閉鎖時において炊飯釜の開口をシールする。
【０００３】
上記の放熱板ユニットのその他の例として、放熱板リングを用いることなく、放熱板の外周縁の溝にパッキンの周縁部をはめ込むだけの構成をとったものが知られている。
【０００４】
【発明が解決しようとする課題】
上記のように、放熱板リングを用いることなく放熱板の外周縁の溝にパッキンの周縁部をはめ込む構成は、部品点数が少なくなる利点があるが、パッキンの装着力が弱いため、使用中に外れる可能性があった。
【０００５】
そこで、この発明は、放熱板リングを省略することで部品点数を減らすとともに、パッキンを安定よく放熱板に装着できるようにすることを課題とする。また、従来、放熱板リングに一体に設けていた把持用の取手を放熱板リングを用いることなく取付けることを他の課題とする。
【０００６】
【課題を解決するための手段】
上記の課題を解決するために、この発明は、放熱板の外周縁下面に炊飯釜の開口をシールする環状のパッキンを装着してなる炊飯器の放熱板ユニットにおいて、上記放熱板に対する上記パッキンの装着構造が、該パッキンに設けた係合突起を上記放熱板に設けた係合孔に強制嵌入する構造を採用したものである。
【０００７】
上記の構成によれば、パッキンに設けた係合突起を放熱板に設けた係合孔に強制嵌合することにより、放熱板リングがなくてもパッキンが強固に装着され、簡単に外れることはない。
【０００８】
また、上記の課題を解決する他の手段として、放熱板の外周縁下面に炊飯釜の開口をシールする環状のパッキンを装着してなる炊飯器の放熱板ユニットにおいて、上記放熱板に対する上記パッキンの装着構造が、該パッキンに設けた金属リングの弾性により上記放熱板の内周面に保持した構造を採用することができる。この場合も、放熱板を用いることなくパッキンを強固に取付けることができる。
【０００９】
上記放熱板の外周縁につまみを取付けた構成を採用することができ、この場合、そのつまみに、上記放熱板の外周縁の一部とその外周縁に設けた突片を上下から挟持固定する挟持部を設けた構成を採用することができる。
【００１０】
【発明の実施の形態】
以下、この発明の実施形態を添付図面に示した炊飯ジャーの放熱板ユニットについて説明する。図１に示すように、本体１の後部において、ヒンジ２を介して蓋３が開閉自在に取付けられる。本体１の内部に炊飯釜４が収納される。上記蓋３の内部に蓋ヒーター５が設けられ、その蓋ヒーター５の下面に放熱板ユニット６が取付けられる。
【００１１】
放熱板ユニット６は、図２に示すように、金属製の放熱板７とシリコーンゴム製のパッキン８とからなる。放熱板７の外周縁９は、立上がり部１１と水平部１２、さらに下方への巻き込み部１３とにより形成される。その巻き込み部１３に、図３（ｃ）に示すように、水平部１２の下面に対向したテーパー状の凸部１４が全周にわたり適宜間隔で設けられ、その凸部１４の頂部に係合孔１５（図３（ａ）参照）が形成される。
【００１２】
一方、パッキン８は、図３（ｃ）に示すように、内周部１６が前記の立上がり部１１の外周面に接触し、断面逆くの字形のシール部１７が外周部に設けられている。その内周部１６と外周部のシール部１７の境界部分において、上向きの係合突起１８が、前記の係合孔１５に合致する間隔で設けられている。この係合突起１８は、先端部１９がテーパー状に尖っており、その先端部１９を支える脚部２１の途中につば２２を設け、先端部１９とつば２２の間に係合溝２３を設けている。
【００１３】
上記のパッキン８は、その係合突起１８を係合孔１５に強制嵌合させ、係合孔１５を係合溝２３に係合させることにより取付けられる。前記のように係合孔１５を設けた凸部１４にはテーパーが付いているので、係合溝２３の下方に若干のすき間が生じるように係合溝２３とつば２２との間に段部２４が設けられている（図３（ｄ）参照）。
【００１４】
なお、パッキン８の交換等に際しこれを外すには、その係合突起１８の部分に引き抜き方向の力を加え、強制的に変形させて係合孔１５から外す。
【００１５】
上記の係合孔１５は、図４（ａ）に示すように、凸部１４のない平坦部分に設けてもよい。また。図４（ｂ）に示すように、巻き込み部１３の巻き込み端部を上向き直角に屈曲し、その屈曲部に係合孔１５を設け、これに対応してパッキン８の係合突起１８も外向きに屈曲して設けるようにしてもよい。
【００１６】
次に、図５に示した第２実施形態は、放熱板７の外周縁９が下方へ屈曲され、かつ内側に開放されたチャンネル状に形成される。また、パッキン８は上記の外周縁９の内方開放部に嵌合される取付け部２５を有し、その取付け部２５の下端縁に断面逆くの字形のシール部１７が形成されたものである。パッキン８の取付け部２５の内周に金属製の弾性リング２６が装着され、その拡径方向の弾性により取付け部２５は、外周縁９に嵌合保持される。この弾性リング２６は、上記のようにパッキン８と別体のものであってもよいが、一体にインサート成形したものであってもよい。
【００１７】
上記の場合の放熱板ユニット６の全体形状は、図６（ａ）から（ｃ）に示すように、楕円形に形成されている。即ち、二点鎖線で示した円形と比較して明らかなように、蓋３（図１参照）の前後方向が長軸となるような楕円である。外周縁９及びこれに装着されるパッキン８、炊飯釜４の開口の形状もこれに合わせて楕円形に形成される。
【００１８】
放熱板ユニット６を上記のように楕円形に形成すると、その前後（長軸側の両端部）を蓋３に対する係合部に利用することができる。また、上記の長軸を直径とする円形に形成する場合に比べ、コンパクト化を図ることができる。
【００１９】
次に、図７から図１０に示した第３実施形態は、前記の各実施形態に一対の取手２７、２７を取付ける場合の構造である。即ち、蓋３の内面に着脱自在に取付けられる放熱板ユニット６は、図７に示すように、前端縁に左右一対の取手２７、２７が設けられる。また、その左右の取手２７、２７間にフック２８が設けられ、後端縁が蓋３の係合部２９に係合される。この係合部２９とフック２８とにより支持された放熱板ユニット６を取外す際、又は取付ける際に、上記の取手２７、２７が利用される。
【００２０】
この取手２７は、図８に示すように、放熱板７の外周縁９に外方に突き出した突片３１を設けた位置に取付けられる。取手２７は、放熱板７の板面に対して直角に立ち上がった把持部３２を有し、その把持部３２の上端に固定挟持片３３と、薄肉屈曲部３５を介して可動挟持片３４が屈曲自在に設けられる。固定挟持片３３を、突片３１の下面と巻き込み部１３の外面に沿わせ、可動挟持片３４を、突片３１と外周縁９の上面から立ち上がり部１１の内面に沿わせて挟着し、可動挟持片３４をビス３６により外周縁９に固定する。
【００２１】
図９及び図１０は、取手２７の固定手段の変形例である。図９の場合は、固定挟持片３３と可動挟持片３４にそれぞれ小突起３７、３８を設け、外周縁９に設けた小係合孔３７’、３８’に係合させることにより、前記のビス３６を不要としている。
【００２２】
また、図１０の場合は、外周縁９に切り起こし片３９を設け、その切り起こし片３９を可動挟持片３４に設けた角孔４１に挿通して屈曲するようにしている。この場合もビス３６は不要となる。
【００２３】
【発明の効果】
以上のように、この発明によれば、炊飯器の蓋に取付けられる放熱板ユニットにおいて、従来用いられていた放熱板リングが不要になるとともに、パッキンが放熱板ユニットに確実に取付けられ、しかも簡単に外れることがない。また、放熱板リングがなくても、取手に挟持部を設け、これにより放熱板を挟持固定することにより、放熱板に取手を取付けることができる。
【図面の簡単な説明】
【図１】第１実施形態の蓋部分の断面図
【図２】同上の放熱板ユニットの一部省略分解斜視図
【図３】（ａ）同上の放熱板ユニットの一部省略平面図
（ｂ）（ａ）図のｂ−ｂ線の断面図
（ｃ）（ｂ）図の一部拡大断面図
（ｄ）（ｃ）図の一部拡大断面図
【図４】（ａ）同上の変形例の一部拡大断面図
（ｂ）同上の他の変形例の一部拡大断面図
【図５】（ａ）第２実施形態の放熱板ユニットの一部省略底面図
（ｂ）（ａ）図のｂ−ｂ線の断面図
（ｃ）（ｂ）図の一部拡大断面図
【図６】（ａ）第２実施形態の放熱板ユニットの一部省略底面図
（ｂ）（ａ）図のｂ−ｂ線の断面図
（ｃ）第２実施形態の放熱板ユニットの一部省略平面図
【図７】第３実施形態の底面図
【図８】（ａ）同上の一部分解斜視図
（ｂ）同上の一部断面図
【図９】（ａ）同上の変形例の一部分解斜視図
（ｂ）同上の変形例の一部断面図
【図１０】（ａ）同上の他の変形例の一部分解斜視図
（ｂ）同上の他の変形例の一部断面図
【符号の説明】
１  本体
２  ヒンジ
３  蓋
４  炊飯釜
５  蓋ヒーター
６  放熱板ユニット
７  放熱板
８  パッキン
９  外周縁
１１  立上がり部
１２  水平部
１３  巻き込み部
１４  凸部
１５  係合孔
１６  内周部
１７  シール部
１８  係合突起
１９  先端部
２１  脚部
２２  つば
２３  係合溝
２４  段部
２５  取付け部
２６  弾性リング
２７  取手
２８  フック
２９  係合部
３１  突片
３２  把持部
３３  固定挟持片
３４  可動挟持片
３５  薄肉屈曲部
３６  ビス
３７  小突起
３７’  小係合孔
３８  小突起
３８’  小係合孔
３９  切り起こし片
４１  角孔
【図１】
0003877966.tif 000002
【図２】
0003877966.tif 000003
【図３】
0003877966.tif 000004
【図４】
0003877966.tif 000005
【図５】
0003877966.tif 000006
【図６】
0003877966.tif 000007
【図７】
0003877966.tif 000008
【図８】
0003877966.tif 000009
【図９】
0003877966.tif 000010
【図１０】
0003877966.tif 000011